(57)【特許請求の範囲】
【請求項１】
反力受け等のナット部と、該反力受け等のナット部に回転自在に抜け止め連結された回転スリーブ部と、該回転スリーブ部と同径の分割スリーブ部を有してテーパーピンのネジ部に分割自在に嵌め合わされる駆動用等の分割ナット部（以下、単に駆動分割ナット部という）と、前記回転スリーブ部並びに分割スリーブ部の外周に往復動作自在に嵌合されるカップラーとを備えてなる鋼材接続レンチ用引抜き・合わせナットにおいて、
前記カップラーは、レンチ本体内に挿着された際、駆動ソケットの解放端に当接される大径のフランジを備えたことを特徴とする鋼材接続レンチ用引抜き・合わせナット。
【請求項２】
孔合わせ用テーパーピンのネジ部に螺合してレンチの駆動ソケットで回転駆動される駆動ナット部と、該駆動ナット部に対し相対回転自在で、かつ、前記レンチの反力ソケットで回転を阻止される反力受け等のナット部と、該反力受け等のナット部に回転自在に組み付けられた連結スリーブ部とを備え、前記駆動ナット部を長手方向に二分割してなる駆動分割ナット部を、リングバネ、蝶番等の止着部材、カップラー若しくは磁石を介して半身一体に組み付けてなる鋼材接続レンチ用引抜き・合わせナットにおいて、
前記カップラーは、レンチ本体内に挿着された際、駆動ソケットの解放端に当接される大径のフランジを備えたことを特徴とする鋼材接続レンチ用引抜き・合わせナット。
【発明の詳細な説明】
【０００１】
【発明の属する技術分野】
本発明は、鋼材接続レンチ用引抜き・合わせナットの改良に関し、更に詳しくは、接続すべき双方の鋼材の孔を合わせてそこにボルトを通し、締付ナットで締結して双方の鋼材を接続するレンチ（以下、単に鋼材接続用レンチという）に使用される引抜きナット及び／又は合わせナットに関する。
【０００２】
【従来の技術】
従来、斯かる鋼材接続レンチ用引抜き・合わせナットとしては、例えば、本出願人の権利である実公平３−３３４２７号報に開示されたものが従来例として周知である。この鋼材接続レンチ用引抜き・合わせナットは、孔合わせ用テーパーピンのネジ部に螺合してレンチの駆動ソケットで回転駆動される駆動ナット部と、該駆動ナット部に対し相対回転自在で、かつ、前記レンチの反力ソケットで回転を阻止される反力受けナット部と、該反力受けナット部に回転自在に組み付けられた連結スリーブ部とを備えている。
【０００３】
【発明が解決しようとする課題】
しかしながら、上述した実公平３−３３４２７号公報に開示されている鋼材接続レンチ用引抜き・合わせナットにあっては、テーパーピンへの着脱作業が容易ではなく、同ピンのネジ部終端まで回動させて取り外さなければならないといった手間を有する。
【０００４】
本発明はこのような従来の問題点に鑑みてなされたもので、テーパーピンへの着脱操作が頗る簡単にできて、一連の締結作業の効率をより高めることができる有用な鋼材接続レンチ用引抜き・合わせナットの提供を目的としたものである。
【０００５】
【課題を解決するための手段】
上述の如き従来の問題点を解決し、所期の目的を達成するため本発明の要旨とする構成は、反力受け等のナット部と、該反力受け等のナット部に回転自在に抜け止め連結された回転スリーブ部と、該回転スリーブ部と同径の分割スリーブ部を有してテーパーピンのネジ部に分割自在に嵌め合わされる駆動用等の分割ナット部（以下、単に駆動分割ナット部という）と、前記回転スリーブ部並びに分割スリーブ部の外周に往復動作自在に嵌合されるカップラーとを備えてなる鋼材接続レンチ用引抜き・合わせナットにおいて、前記カップラーは、レンチ本体内に挿着された際、駆動ソケットの解放端に当接される大径のフランジを備えてなる鋼材接続レンチ用引抜き・合わせナットに存する。
【０００６】
また、本発明は、孔合わせ用テーパーピンのネジ部に螺合してレンチの駆動ソケットで回転駆動される駆動ナット部と、該駆動ナット部に対し相対回転自在で、かつ、前記レンチの反力ソケットで回転を阻止される反力受け等のナット部と、該反力受け等のナット部に回転自在に組み付けられた連結スリーブ部とを備え、前記駆動ナット部は、長手方向に二分割してなる駆動分割ナット部を、リングバネ、蝶番等の止着部材、カップラー若しくは磁石を介して半身一体に組み付けてなる鋼材接続レンチ用引抜き・合わせナットにおいて、前記カップラーは、レンチ本体内に挿着された際、駆動ソケットの解放端に当接される大径のフランジを備えてなる鋼材接続レンチ用引抜き・合わせナットに存する。
【０００８】
このように構成される本発明の鋼材接続レンチ用引抜き・合わせナットは、前記カップラーが 、レンチ本体内に挿着された際、駆動ソケットの解放端に当接される大径のフランジを備えたことによって、レンチ本体の挿着（外挿）と同時に、同カップラーが駆動ソケット部に押されて前方へと変位せしめ、駆動分割ナット部と駆動ソケット部とが駆動可能状態に整合される。
【００１１】
しかも、使用後、レンチ本体が抜き取られた状態では、前記変位動作により、カップラーが回転スリーブ２側に位置していることから（換言すれば、分割スリーブ部上からカップラーが解除されていることから）、同分割ナット部は離脱可能（分割可能）状態にあり、簡単にテーパーピンより外せることとなる。
【００１２】
【発明の実施の形態】
次に、本発明の実施の一例を図面を参照しながら説明する。図中Ａは、本発明に係る鋼材接続レンチ用引抜き・合わせナットであり、この鋼材接続レンチ用引抜き・合わせナットＡは、図１乃至図２に示すように、所望大きさの反力受けナット部１と、該反力受けナット部１に突設された回転スリーブ部２と、該回転スリーブ部２と、該回転スリーブ部２側に突き合わされる駆動分割ナット部３とを備えている。
【００１３】
反力受けナット部１は、例えば、最大外径５５ｍｍ、長寸３５ｍｍの六角ナットからなり、鋼材に使用されるボルトの大きさに応じたものが使用されることは云うまでもない。
【００１４】
回転スリーブ部２は、反力受けナット部１の後端側（同心方向）に突設されていると共に、周方向に回転できるように抜け止め連結されている。
【００１５】
駆動分割ナット部３は、回転スリーブ部２と同径の分割スリーブ部３ａ，３ａを有する一対の半身体からなり、図３に示すように、テーパーピン４のネジ部４ａを挟むべく互いを合わせるだけで簡単に取り付けできる。
【００１６】
また、前記回転スリーブ部２並びに分割スリーブ部３ａの外周には、カップラー５が往復動作自在に嵌合されている。このカップラー５は、一端側に環状のフランジ５ａが周設されており、分割スリーブ部３ａ側に摺動させることにより、同分割ナット部３を分割不可能状態に包持するものである（図１参照）。
【００１７】
一方、鋼材接続用レンチ６は、図１０に示すように、筒状のレンチ本体６ａと、駆動ユニット６ｂとから構成されている（詳しくは実公平３−３３４２７号公報参照）。
【００１８】
レンチ本体６ａは、後述する駆動部６ｂ2 で駆動されて内部に挿入されるナット類を回転駆動する駆動ソケット６ａ1 と、該駆動ソケット６ａ1 を収容する反力ソケット６ａ2 と、該反力ソケット６ａ2 の先端部より外方へ突設された反力レバー６ａ3 とを備えている。
【００１９】
駆動ソケット６ａ1 は、内周面が前記分割駆動ナット部３の外周に嵌合する六角穴になっており、同心方向に延びる中間部６ａ4 を介して後述する駆動部６ｂ2 の外枠先端部６ｂ5 内の外歯車６ａ5 と一体に連通している。
【００２０】
反力ソケット６ａ2 は、何れも筒形をなす先端ソケット６ａ6 と中間部６ａ7 と後端部６ａ8 とを一体に有し、後端部６ａ8 を駆動部６ｂ2 の外枠先端部６ｂ5 に連結支持させている。
【００２１】
駆動ユニット６ｂは、正逆方向に回転するモーター６ｂ1 と、該モーター６ｂ1 の回転力で駆動を行う駆動部６ｂ2 と、同モーター６ｂ1 の電源のオン、オフ及び回転方向の切り替えを制御するスイッチ６ｂ3 とを備えている。
【００２２】
また、駆動部６ｂ2 内には、確認ピン６ｂ4 が貫通収納されていて、孔合わせ用テーパーピン４の引き抜き寸法が一定寸法に達すると、同テーパーピン４で押されて駆動部６ｂ2 の後端から突出してそれを知らせるようになっている。
【００２３】
このように構成される本発明の鋼材接続レンチ用引抜き・合わせナットＡは、まず、テーパーピン４のネジ部４ａを挟むべく駆動分割ナット部３の半身体同士を合わせ（図４参照）、回転スリーブ部２上に保持してあるカップラー５を分割スリーブ部３ａ上に摺動させることにより（図１参照）、同分割ナット部３を分割不可能状態に包持せしめる。
【００２４】
次いで、レンチ本体６ａ（図１０参照）の挿着と同時に、前記カップラー５（詳しくは、フランジ５ａ）がレンチの駆動ソケット６ａ1 に押されて前方へと変位し、同駆動ソケット部６ａ1 内に駆動分割ナット部３が整合される（駆動可能状態）。
【００２５】
次いで、使用後、レンチ本体６ａが抜き取られた状態では、前記変位動作により、カップラー５が分割スリーブ部３ａ上から解除されていることから（図４参照）、同分割ナット部３は離脱可能（分割可能）状態にあり、従来の如く螺旋部終端まで回す必要がなく（手間が省け）、簡単にテーパーピン４より外せるのである（図３参照）。
【００２６】
尚、本発明の鋼材接続レンチ用引抜き・合わせナットＡは、本実施例に限定されることなく、本発明の目的の範囲内で自由に設計変更し得るものであり、本発明はそれらの全てを包摂するものである。
【００２７】
例えば、本実施例で示した駆動分割ナット部３は、カップラー５にて包持できるように組み付けているが、これに限定されることなく（カップラー５を使用することなく）、磁石７（図５参照）やリングバネ等の止着部材８（図６参照）を介して分割自在に組み付けできるものであり、これにより、作業中、同分割ナット部３が意に反して二つに分離し、テーパーピン４より安易に落下してしまう危険性を解消できるのである。
【００２８】
また、図７に示すように、テーパーピン４のテーパー部４ｂ側に、角型の螺旋山４ａ1 ，４ａ1 …とは異形の螺旋山（丸型）４ａ2 〜４ａ6 を形成しておけば、必要以上の回転駆動により、換言すれば、分割ナット部３を斯かる異形の螺旋山４ａ2 〜４ａ6 に強制的に螺合させることにより、同分割ナット部３を強制的に分割・離脱することができ、取り外しがより簡単にできる。
【００２９】
更に、図８に示すように、テーパーピン４の接触面を小さくすべく周面にスリット溝４ｃ，４ｃ…を形成すれば、同ピン４を鋼材の孔より引き抜く際の摩擦音を減衰させることができ、また、スリット溝４ｃ，４ｃ…に錆が発生することも相俟って、よりピン表面の摩擦抵抗を小さくすることもできる。
【００３０】
また、図９に示すように、駆動分割ナット部３の遊端面に連結板とボルト（図示せず）等からなる連結部材９を介して互いを分割自在に連結しても良い。
【００３１】
【発明の効果】
本発明は上述のように構成され、前記カップラーは、レンチ本体内に挿着された際、駆動ソケットの解放端に当接される大径のフランジを備えたことによって、レンチ本体の挿着（外挿）と同時に、同カップラーが駆動ソケット部に押されて前方へと変位し（挿着変位動作）、駆動分割ナット部と駆動ソケット部とが駆動可能状態に整合され、しかも、使用後、レンチ本体が抜き取られた状態では、カップラーが回転スリーブ側に位置していることから、換言すれば、分割スリーブ部上からカップラーが解除されていることから（図４参照）、同駆動分割ナット部は離脱可能（分割可能）状態にあり、従来の如く螺旋部終端まで回す必要がなく(手間が省け)、簡単にテーパーピンより外すことができるといった効果を奏する。
【００３３】
このように本発明の鋼材接続レンチ用引抜き・合わせナットは、テーパーピンへの着脱操作が頗る簡単にできるため、一連の締結作業の効率を高めることができ、また、構成が単純であるため大量生産に適し、価格も低廉なものとして需要者に提供できるなど、本発明を実施することはその実益的価値が甚だ大である。
【図面の簡単な説明】
【図１】本発明に係る鋼材接続レンチ用引抜き・合わせナットを示す斜視図である。
【図２】同鋼材接続レンチ用引抜き・合わせナットの組立分解斜視図である。
【図３】駆動分割ナット部の分割可能状態を示す説明図である。
【図４】テーパーピンに駆動分割ナット部をセットした状態を示す説明図である。
【図５】磁石にて分割自在に組み付けられる駆動分割ナット部の縦断面図である。
【図６】リングバネで分割自在に合体させた状態を示す駆動分割ナット部の斜視図である。
【図７】図７(ａ)は異形螺旋山を螺設させたテーパーピンの斜視図、図７(ｂ)は同螺旋山部分の拡大説明図である。
【図８】スリット溝を周設したテーパーピンの斜視図である。
【図９】連結部材で分割自在に連結した駆動分割ナット部の斜視図である。
【図１０】鋼材接続用レンチを示す説明図である。
【符号の説明】
１  反力受けナット部
２  回転スリーブ部
３  駆動分割ナット部
３ａ  分割スリーブ部
４  テーパーピン
４ａ  ネジ部
４ｂ  テーパー部
４ｃ  スリット溝
５  カップラー
５ａ  フランジ
６  鋼材接続用レンチ
６ａ  レンチ本体
６ａ1 駆動ソケット
６ａ2 反力ソケット
６ａ3 反力レバー
６ａ4 中間部
６ａ5 外歯車
６ａ6 先端ソケット
６ａ7 中間部
６ａ8 後端部
６ｂ  駆動ユニット
６ｂ1 モーター
６ｂ2 駆動部
６ｂ3 スイッチ
６ｂ4 確認ピン
６ｂ5 外枠先端部
７  磁石
８  止着部材
９  連結部材
【図１】
0004326628.tif 000002
【図２】
0004326628.tif 000003
【図３】
0004326628.tif 000004
【図４】
0004326628.tif 000005
【図５】
0004326628.tif 000006
【図６】
0004326628.tif 000007
【図７】
0004326628.tif 000008
【図８】
0004326628.tif 000009
【図９】
0004326628.tif 000010
【図１０】
0004326628.tif 000011